(57)【要約】【課題】道路単位及び時刻単位で動的に広告内容を更新し、表示領域を時分割して、複数の広告主が１つの広告領域を共有可能とすること。【解決手段】移動車両１１がリンクポイントＡに到達すると、その位置情報ａを無線基地局１３に送信する。この位置情報ａは、通信網１４を介してセンタ装置１５に送られる。このセンタ装置１５では、位置情報ａを受けると所定の広告情報ｂを、通信網１４を介して配信する。配信された広告情報ｂは無線基地局１３を介して、走行中の移動車両１１に送信される。移動車両１１において、配信された広告情報ｂは車両側面部に設けられた表示部１２ｂに表示される。走行中の移動車両１１が、リンクポイントＢに達すると、リンクポイントＢに位置している移動車両１１から、その位置情報ａが送信され、同じ処理を繰り返して広告情報が更新表示される。【選択図】        図１
2004361661.tif 000002
【特許請求の範囲】
【請求項１】
移動車両からの位置情報を、通信網を介してセンタ装置に送信し、該センタ装置からの広告情報を走行中の移動車両に配信する動的広告方法であって、
前記移動車両のリンクポイントに到達した地点の前記位置情報を、前記通信網を介して前記センタ装置に送信する送信ステップと、
前記移動車両からの前記位置情報を、前記通信網を介して前記センタ装置で受信する受信ステップと、
前記位置情報に基づいて作成された前記センタ装置からの前記広告情報を、前記移動車両の車体側面部に設けられた表示部に表示する表示ステップと
を備え、走行中の前記移動車両に表示される広告内容をリアルタイムで随時変更可能としたことを特徴とする動的広告方法。
【請求項２】
前記広告情報が、道路リンク及び時刻を含み、該道路リンク及び時刻に基づいて広告タイミングを指定可能にしたことを特徴とする請求項１に記載の動的広告方法。
【請求項３】
前記センタ装置における情報処理が、
前記移動車両から通知されるリンクポイントを受信し、前記道路リンクが特定された際に、前記移動車両に前記道路リンクに割り当てられた広告内容を通知する通信処理ステップと、
前記道路リンクに対応する広告内容を管理する広告内容記録ステップと、
ベクトルデータ地図を有し、前記道路リンク及び前記リンクポイントを管理する地図データベース管理ステップと、
前記移動車両に対して設定を行うリンクポイント設定情報を管理する設定情報管理ステップと、
ユーザに対して、広告を行いたい前記道路リンク、時刻、広告内容を設定する環境を提供し、前記道路リンクを指定する際には、前記地図データベース管理ステップで管理されている地図情報をユーザに提示し、ユーザは、地図上の前記道路リンクを指定して、前記時刻や広告内容を広告内容設定情報として設定する設定ステップと、
前記広告内容設定情報の前記道路リンクに対応する前記リンクポイント設定情報を前記地図データベース管理ステップより取得して前記移動車両に通知するとともに、前記地図データベース管理ステップでの地図情報とリンクポイント設定情報のマッチングにより前記道路リンクを確定し、前記広告内容記録ステップより前記道路リンクに対応する広告内容を取得して、前記移動車両に広告内容を通知する演算処理ステップと
を備えたことを特徴とする請求項１又は２に記載の動的広告方法。
【請求項４】
前記移動車両における情報処理が、
該移動車両の前記位置情報を定期的に送信する機能を有する位置情報取得ステップと、
前記リンクポイント設定情報の通知があった際に、該リンクポイント設定情報を前記センタ装置に通知するとともに、前記道路リンクの広告内容設定情報が通知された際に、該広告内容設定情報を通知する通信処理ステップと、
前記リンクポイント設定情報の通知があった際に、該リンクポイント設定情報を管理する設定情報管理ステップと、
前記広告内容設定情報が通知された際に、該広告内容設定情報を記録する広告内容記録ステップと、
前記広告内容記録ステップで記録された広告内容設定情報に基づいて広告内容を表示する情報表示ステップと、
前記通信処理ステップから前記リンクポイント設定情報の通知があった際に、該リンクポイント設定情報を前記設定情報管理ステップに通知して、前記位置情報取得ステップより取得可能な位置情報と前記リンクポイント設定情報により、前記移動車両と前記リンクポイントの位置関係を算出して、前記センタ装置に前記リンクポイントを通知し、前記通信処理ステップから広告内容設定情報を受信した際に、前記情報表示ステップに通知して、該広告内容記録ステップに広告内容設定情報を記録する演算処理ステップと
を備えたことを特徴とする請求項１，２又は３に記載の動的広告方法。
【請求項５】
前記リンクポイント設定情報が、リンクポイント番号、緯度、経度、検出時刻を含んでいることを特徴とする請求項３又は４に記載の動的広告方法。
【請求項６】
前記車体側面部の広告領域を時分割多重して広告内容を変更することにより、広告領域を共有にすることを特徴とする請求項１乃至５のいずれかに記載の動的広告方法。
【請求項７】
移動車両からの位置情報を、通信網を介してセンタ装置に送信し、該センタ装置からの広告情報を走行中の移動車両に配信する動的広告システムであって、
リンクポイントに到達した地点の前記位置情報を、前記通信網を介して前記センタ装置に送信するとともに、前記位置情報に基づいて作成された前記センタ装置からの前記広告情報を、車体側面部に設けられた表示部に表示する移動車両と、
該移動車両からの前記位置情報を、前記通信網を介して受信するとともに、前記広告情報を前記移動車両に配信するセンタ装置とを備え、
走行中の前記移動車両に表示される広告内容をリアルタイムで随時変更可能としたことを特徴とする動的広告システム。
【請求項８】
前記広告情報が、道路リンク及び時刻を含み、該道路リンク及び時刻に基づいて広告タイミングを指定可能にしたことを特徴とする請求項７に記載の動的広告システム。
【請求項９】
前記センタ装置が、
前記移動車両から通知されるリンクポイントを受信し、前記道路リンクが特定された際に、前記移動車両に前記道路リンクに割り当てられた広告内容を通知する通信処理部と、
前記道路リンクに対応する広告内容を管理する広告内容記録部と、
ベクトルデータ地図を有し、前記道路リンク及び前記リンクポイントを管理する地図データベース管理部と、
前記移動車両に対して設定を行うリンクポイント設定情報を管理する設定情報管理部と、
ユーザに対して、広告を行いたい前記道路リンク、時刻、広告内容を設定する環境を提供し、前記道路リンクを指定する際には、前記地図データベース管理部で管理されている地図情報をユーザに提示し、ユーザは、地図上の前記道路リンクを指定して、前記時刻や広告内容を広告内容設定情報として設定するユーザインタフェース部と、
前記広告内容設定情報の前記道路リンクに対応する前記リンクポイント設定情報を前記地図データベース管理部より取得して前記移動車両に通知するとともに、前記地図データベース管理部の地図情報とリンクポイント設定情報のマッチングにより前記道路リンクを確定し、前記広告内容記録部より前記道路リンクに対応する広告内容を取得して、前記移動車両に広告内容を通知する演算処理部と
を備えたことを特徴とする請求項７又は８に記載の動的広告システム。
【請求項１０】
前記移動車両が、
該移動車両の前記位置情報を定期的に送信する機能を有する位置情報取得部と、
前記リンクポイント設定情報の通知があった際に、該リンクポイント設定情報を前記センタ装置に通知するとともに、前記道路リンクの広告内容設定情報が通知された際に、該広告内容設定情報を通知する通信処理部と、
前記リンクポイント設定情報の通知があった際に、該リンクポイント設定情報を管理する設定情報管理部と、
前記広告内容設定情報が通知された際に、該広告内容設定情報を記録する広告内容記録部と、
前記広告内容記録部に記録されている広告内容設定情報に基づいて広告内容を表示する情報表示装置部と、
前記通信処理部から前記リンクポイント設定情報の通知があった際に、該リンクポイント設定情報を前記設定情報管理部に通知して、前記位置情報取得部より取得可能な位置情報と前記リンクポイント設定情報により、前記移動車両と前記リンクポイントの位置関係を算出して、前記センタ装置に前記リンクポイントを通知し、前記通信処理部から広告内容設定情報を受信した際に、前記情報表示装置部に通知して、該広告内容記録部に広告内容設定情報を記録する演算処理部とを備えたことを特徴とする請求項７，８又は９に記載の動的広告システム。
【請求項１１】
前記リンクポイント設定情報が、リンクポイント番号、緯度、経度、検出時刻を含んでいることを特徴とする請求項９又は１０に記載の動的広告システム。
【請求項１２】
前記車体側面部の広告領域を時分割多重して広告内容を変更することにより、広告領域を共有にすることを特徴とする請求項７乃至１１のいずれかに記載の動的広告システム。
【請求項１３】
移動車両からの位置情報を、通信網を介してセンタ装置に送信し、該センタ装置からの広告情報を走行中の移動車両に配信する動的広告システムにおける前記センタ装置であって、
前記移動車両から通知されるリンクポイントを受信し、前記道路リンクが特定された際に、前記移動車両に前記道路リンクに割り当てられた広告内容を通知する通信処理部と、
前記道路リンクに対応する広告内容を管理する広告内容記録部と、
ベクトルデータ地図を有し、前記道路リンク及び前記リンクポイントを管理する地図データベース管理部と、
前記移動車両に対して設定を行うリンクポイント設定情報を管理する設定情報管理部と、
ユーザに対して、広告を行いたい前記道路リンク、時刻、広告内容を設定する環境を提供し、前記道路リンクを指定する際には、前記地図データベース管理部で管理されている地図情報をユーザに提示し、ユーザは、地図上の前記道路リンクを指定して、前記時刻や広告内容を広告内容設定情報として設定するユーザインタフェース部と、
前記広告内容設定情報の前記道路リンクに対応する前記リンクポイント設定情報を前記地図データベース管理部より取得して前記移動車両に通知するとともに、前記地図データベース管理部の地図情報とリンクポイント設定情報のマッチングにより前記道路リンクを確定し、前記広告内容記録部より前記道路リンクに対応する広告内容を取得して、前記移動車両に広告内容を通知する演算処理部と
を備えたことを特徴とする動的広告システムにおけるセンタ装置。
【請求項１４】
移動車両からの位置情報を、通信網を介してセンタ装置に送信し、該センタ装置からの広告情報を走行中の移動車両に配信する動的広告システムにおける前記移動車両であって、
位置情報を定期的に送信する機能を有する位置情報取得部と、
前記リンクポイント設定情報の通知があった際に、該リンクポイント情報を前記センタ装置に通知するとともに、前記道路リンクの広告内容設定情報が通知された際に、該広告内容設定情報を通知する通信処理部と、
前記リンクポイント設定情報の通知があった際に、該リンクポイント設定情報を管理する設定情報管理部と、
前記広告内容設定情報が通知された際に、該広告内容設定情報を記録する広告内容記録部と、
前記広告内容記録部に記録されている広告内容設定情報に基づいて広告内容を表示する情報表示装置部と、
前記通信処理部から前記リンクポイント設定情報の通知があった際に、該リンクポイント設定情報を前記設定情報管理部に通知して、前記位置情報取得部より取得可能な位置情報と前記リンクポイント設定情報により、前記移動車両と前記リンクポイントの位置関係を算出して、前記センタ装置に前記リンクポイントを通知し、前記通信処理部から広告内容設定情報を受信した際に、前記情報表示装置部に通知して、該広告内容記録部に広告内容設定情報を記録する演算処理部と
を備えたことを特徴とする動的広告システムにおける移動車両。
【発明の詳細な説明】
【０００１】
【発明の属する技術分野】
本発明は、動的広告方法及びそのシステムに関し、より詳細には、車両の車体側面などを用いて、車外に対して広告を行う方法であって、該当道路リンク及び該当時刻により、動的に広告内容を更新することを可能にした動的広告方法及びそのシステムに関する。
【０００２】
【従来の技術】
従来、走行中の車両を有効利用して、車外の人に広告をする方法として、バスの側板や後部板に広告内容をステッカーとして貼り付ける方法が提案されている（例えば、非特許文献１参照）。また、タクシーの乗降ドア窓、リアウインドウ、車体側面に広告内容をステッカーとして貼り付ける方法が提案されている（例えば、非特許文献２参照）。
【０００３】
また、自動車などの車体に広告ステッカーを貼付し、この自動車が市街地を走行することにより特定の商品やサービスを広告するようにした移動広告方法も提案されている（例えば、特許文献１参照）。
【０００４】
また、電車やバスなどの移動車両の位置や時刻などの車両情報の変化に応じて広告情報などの内容を変更できるようにした広告方法が提案されている（例えば、特許文献２参照）。さらに、走行車両に対して、走行地域に応じた広告情報の提示を可能にした広告方法が提案されている（例えば、特許文献３参照）。
【０００５】
【特許文献１】
特開２００２−３３３８５６号公報
【０００６】
【特許文献２】
特開２００２−３５１３７４号公報
【０００７】
【特許文献３】
特開２００２−２１５６３９号公報
【０００８】
【非特許文献１】
ｈｔｔｐ：／／ｗｗｗ．ｉｚｕｈａｋｏｎｅ．ｃｏ．ｊｐ／ｅｎｓｅｎ／ａｄｖｅｒｔｉｓｉｎｇ／ｂｕｓ，ｈｔｍ
【０００９】
【非特許文献２】
ｈｔｔｐ：／／ｗｗｗ．ｔａｘｉａｄ．ｃｏ．ｊｐ／
【００１０】
【発明が解決しようとする課題】
しかしながら、ステッカーは静的なものであり、一度、車体側面部などに貼り付けるものであるため、簡単に更新することはできないという問題があった。また、簡単に更新することが困難であるため、広告の契約期間が１ヶ月単位となり、料金も１ヶ月単位となる。そのため、例えば、臨時の広告を短期間のみ掲載することは困難なものとなっていた。
【００１１】
また、簡単に更新することが困難であること、それに伴い広告の契約期間が１ヶ月単位であることなどから、その期間中は車体側面などの領域をある広告が完全に占有することとなり、他の広告が後から参加するのを困難としていた。また、簡単に更新することが困難であるため、例えば、ある日のある時間帯だけ、広告を表示したり、広告内容を随時変更したりすることが困難となっていた。
【００１２】
また、車両を走行する一定エリアに対する広告となり、例えば、広告主の店の場所、隣接道路、お客の交通状況などを考慮して、道路単位および時刻単位で広告範囲をきめ細かに指定することはできないという問題があった。
【００１３】
しかしながら、電車やバスなどの移動車両の位置や時刻などの車両情報の変化に応じて広告情報などの内容を変更できるようにした広告方法が提案されていても、広告内容に対する地域の定義や設定方法およびＧＰＳから取得した位置情報と広告する地域とのマッチング方法に関して、具体的に検討されていない。
【００１４】
また、地域の定義やマッチング方法に関して検討されているものもあるが、地域をポリゴンで設定するため、道路に合わせて設定しようとすると、設定が複雑になってしまう（道路が曲線の場合などに設定が複雑になり、データ量も増える）という問題がある。
【００１５】
本発明は、このような問題に鑑みてなされたもので、その目的とするところは、道路単位及び時刻単位で動的に広告内容を更新するようにするとともに、車両側面などの領域を時分割することにより、複数の広告主が１つの広告領域を共有可能とするようにした動的広告方法及びそのシステムを提供することにある。
【００１６】
【課題を解決するための手段】
本発明は、このような目的を達成するためになされたもので、請求項１に記載の発明は、移動車両からの位置情報を、通信網を介してセンタ装置に送信し、該センタ装置からの広告情報を走行中の移動車両に配信する動的広告方法であって、前記移動車両のリンクポイントに到達した地点の前記位置情報を、前記通信網を介して前記センタ装置に送信する送信ステップと、前記移動車両からの前記位置情報を、前記通信網を介して前記センタ装置で受信する受信ステップと、前記位置情報に基づいて作成された前記センタ装置からの前記広告情報を、前記移動車両の車体側面部に設けられた表示部に表示する表示ステップとを備え、走行中の前記移動車両に表示される広告内容をリアルタイムで随時変更可能としたことを特徴とする。
【００１７】
また、請求項２に記載の発明は、請求項１に記載の発明において、前記広告情報が、道路リンク及び時刻を含み、該道路リンク及び時刻に基づいて広告タイミングを指定可能にしたことを特徴とする。
【００１８】
また、請求項３に記載の発明は、請求項１又は２に記載の発明において、前記センタ装置における情報処理が、前記移動車両から通知されるリンクポイントを受信し、前記道路リンクが特定された際に、前記移動車両に前記道路リンクに割り当てられた広告内容を通知する通信処理ステップと、前記道路リンクに対応する広告内容を管理する広告内容記録ステップと、ベクトルデータ地図を有し、前記道路リンク及び前記リンクポイントを管理する地図データベース管理ステップと、前記移動車両に対して設定を行うリンクポイント設定情報を管理する設定情報管理ステップと、ユーザに対して、広告を行いたい前記道路リンク、時刻、広告内容を設定する環境を提供し、前記道路リンクを指定する際には、前記地図データベース管理ステップで管理されている地図情報をユーザに提示し、ユーザは、地図上の前記道路リンクを指定して、前記時刻や広告内容を広告内容設定情報として設定する設定ステップと、前記広告内容設定情報の前記道路リンクに対応する前記リンクポイント設定情報を前記地図データベース管理ステップより取得して前記移動車両に通知するとともに、前記地図データベース管理ステップでの地図情報とリンクポイント設定情報のマッチングにより前記道路リンクを確定し、前記広告内容記録ステップより前記道路リンクに対応する広告内容を取得して、前記移動車両に広告内容を通知する演算処理ステップとを備えたことを特徴とする。
【００１９】
また、請求項４に記載の発明は、請求項１，２又は３に記載の発明において、前記移動車両における情報処理が、該移動車両の前記位置情報を定期的に送信する機能を有する位置情報取得ステップと、前記リンクポイント設定情報の通知があった際に、該リンクポイント設定情報を前記センタ装置に通知するとともに、前記道路リンクの広告内容設定情報が通知された際に、該広告内容設定情報を通知する通信処理ステップと、前記リンクポイント設定情報の通知があった際に、該リンクポイント設定情報を管理する設定情報管理ステップと、前記広告内容設定情報が通知された際に、該広告内容設定情報を記録する広告内容記録ステップと、前記広告内容記録ステップで記録された広告内容設定情報に基づいて広告内容を表示する情報表示ステップと、前記通信処理ステップから前記リンクポイント設定情報の通知があった際に、該リンクポイント設定情報を前記設定情報管理ステップに通知して、前記位置情報取得ステップより取得可能な位置情報と前記リンクポイント設定情報により、前記移動車両と前記リンクポイントの位置関係を算出して、前記センタ装置に前記リンクポイントを通知し、前記通信処理ステップから広告内容設定情報を受信した際に、前記情報表示ステップに通知して、該広告内容記録ステップに広告内容設定情報を記録する演算処理ステップとを備えたことを特徴とする。
【００２０】
また、請求項５に記載の発明は、請求項３又は４に記載の発明において、前記リンクポイント設定情報が、リンクポイント番号、緯度、経度、検出時刻を含んでいることを特徴とする。
【００２１】
また、請求項６に記載の発明は、請求項１乃至５のいずれかに記載の発明において、前記車体側面部の広告領域を時分割多重して広告内容を変更することにより、広告領域を共有にすることを特徴とする。
【００２２】
また、請求項７に記載の発明は、移動車両からの位置情報を、通信網を介してセンタ装置に送信し、該センタ装置からの広告情報を走行中の移動車両に配信する動的広告システムであって、リンクポイントに到達した地点の前記位置情報を、前記通信網を介して前記センタ装置に送信するとともに、前記位置情報に基づいて作成された前記センタ装置からの前記広告情報を、車体側面部に設けられた表示部に表示する移動車両と、該移動車両からの前記位置情報を、前記通信網を介して受信するとともに、前記広告情報を前記移動車両に配信するセンタ装置とを備え、走行中の前記移動車両に表示される広告内容をリアルタイムで随時変更可能としたことを特徴とする。
【００２３】
また、請求項８に記載の発明は、請求項７に記載の発明において、前記広告情報が、道路リンク及び時刻を含み、該道路リンク及び時刻に基づいて広告タイミングを指定可能にしたことを特徴とする。
【００２４】
また、請求項９に記載の発明は、請求項７又は８に記載の発明において、前記センタ装置が、前記移動車両から通知されるリンクポイントを受信し、前記道路リンクが特定された際に、前記移動車両に前記道路リンクに割り当てられた広告内容を通知する通信処理部と、前記道路リンクに対応する広告内容を管理する広告内容記録部と、ベクトルデータ地図を有し、前記道路リンク及び前記リンクポイントを管理する地図データベース管理部と、前記移動車両に対して設定を行うリンクポイント設定情報を管理する設定情報管理部と、ユーザに対して、広告を行いたい前記道路リンク、時刻、広告内容を設定する環境を提供し、前記道路リンクを指定する際には、前記地図データベース管理部で管理されている地図情報をユーザに提示し、ユーザは、地図上の前記道路リンクを指定して、前記時刻や広告内容を広告内容設定情報として設定するユーザインタフェース部と、前記広告内容設定情報の前記道路リンクに対応する前記リンクポイント設定情報を前記地図データベース管理部より取得して前記移動車両に通知するとともに、前記地図データベース管理部の地図情報とリンクポイント設定情報のマッチングにより前記道路リンクを確定し、前記広告内容記録部より前記道路リンクに対応する広告内容を取得して、前記移動車両に広告内容を通知する演算処理部とを備えたことを特徴とする。
【００２５】
また、請求項１０に記載の発明は、請求項７，８又は９に記載の発明において、前記移動車両が、該移動車両の前記位置情報を定期的に送信する機能を有する位置情報取得部と、前記リンクポイント設定情報の通知があった際に、該リンクポイント設定情報を前記センタ装置に通知するとともに、前記道路リンクの広告内容設定情報が通知された際に、該広告内容設定情報を通知する通信処理部と、前記リンクポイント設定情報の通知があった際に、該リンクポイント設定情報を管理する設定情報管理部と、前記広告内容設定情報が通知された際に、該広告内容設定情報を記録する広告内容記録部と、前記広告内容記録部に記録されている広告内容設定情報に基づいて広告内容を表示する情報表示装置部と、前記通信処理部から前記リンクポイント設定情報の通知があった際に、該リンクポイント設定情報を前記設定情報管理部に通知して、前記位置情報取得部より取得可能な位置情報と前記リンクポイント設定情報により、前記移動車両と前記リンクポイントの位置関係を算出して、前記センタ装置に前記リンクポイントを通知し、前記通信処理部から広告内容設定情報を受信した際に、前記情報表示装置部に通知して、該広告内容記録部に広告内容設定情報を記録する演算処理部とを備えたことを特徴とする。
【００２６】
また、請求項１１に記載の発明は、請求項９又は１０に記載の発明において、前記リンクポイント設定情報が、リンクポイント番号、緯度、経度、検出時刻を含んでいることを特徴とする。
【００２７】
また、請求項１２に記載の発明は、請求項７乃至１１のいずれかに記載の発明において、前記車体側面部の広告領域を時分割多重して広告内容を変更することにより、広告領域を共有にすることを特徴とする。
【００２８】
また、請求項１３に記載の発明は、移動車両からの位置情報を、通信網を介してセンタ装置に送信し、該センタ装置からの広告情報を走行中の移動車両に配信する動的広告システムにおける前記センタ装置であって、前記移動車両から通知されるリンクポイントを受信し、前記道路リンクが特定された際に、前記移動車両に前記道路リンクに割り当てられた広告内容を通知する通信処理部と、前記道路リンクに対応する広告内容を管理する広告内容記録部と、ベクトルデータ地図を有し、前記道路リンク及び前記リンクポイントを管理する地図データベース管理部と、前記移動車両に対して設定を行うリンクポイント設定情報を管理する設定情報管理部と、ユーザに対して、広告を行いたい前記道路リンク、時刻、広告内容を設定する環境を提供し、前記道路リンクを指定する際には、前記地図データベース管理部で管理されている地図情報をユーザに提示し、ユーザは、地図上の前記道路リンクを指定して、前記時刻や広告内容を広告内容設定情報として設定するユーザインタフェース部と、前記広告内容設定情報の前記道路リンクに対応する前記リンクポイント設定情報を前記地図データベース管理部より取得して前記移動車両に通知するとともに、前記地図データベース管理部の地図情報とリンクポイント設定情報のマッチングにより前記道路リンクを確定し、前記広告内容記録部より前記道路リンクに対応する広告内容を取得して、前記移動車両に広告内容を通知する演算処理部とを備えたことを特徴とする。
【００２９】
また、請求項１４に記載の発明は、移動車両からの位置情報を、通信網を介してセンタ装置に送信し、該センタ装置からの広告情報を走行中の移動車両に配信する動的広告システムにおける前記移動車両であって、位置情報を定期的に送信する機能を有する位置情報取得部と、前記リンクポイント設定情報の通知があった際に、該リンクポイント情報を前記センタ装置に通知するとともに、前記道路リンクの広告内容設定情報が通知された際に、該広告内容設定情報を通知する通信処理部と、前記リンクポイント設定情報の通知があった際に、該リンクポイント設定情報を管理する設定情報管理部と、前記広告内容設定情報が通知された際に、該広告内容設定情報を記録する広告内容記録部と、前記広告内容記録部に記録されている広告内容設定情報に基づいて広告内容を表示する情報表示装置部と、前記通信処理部から前記リンクポイント設定情報の通知があった際に、該リンクポイント設定情報を前記設定情報管理部に通知して、前記位置情報取得部より取得可能な位置情報と前記リンクポイント設定情報により、前記移動車両と前記リンクポイントの位置関係を算出して、前記センタ装置に前記リンクポイントを通知し、前記通信処理部から広告内容設定情報を受信した際に、前記情報表示装置部に通知して、該広告内容記録部に広告内容設定情報を記録する演算処理部とを備えたことを特徴とする。
【００３０】
【発明の実施の形態】
以下、図面を参照して本発明の実施の形態について説明する。
図１は、本発明に係る動的広告システムを説明するための全体構成図で、図中符号１１は移動車両、１２は表示部、１３は無線基地局、１４は通信網、１５はセンタ装置、１６は道路リンクを示している。
【００３１】
本発明の動的広告システムは、ＧＰＳ（Ｇｌｏｂａｌ  Ｐｏｓｉｔｉｏｎｉｎｇ  Ｓｙｓｔｅｍ；全地球測位システム）搭載の移動車両１１と、この移動車両１１から送信された位置情報ａを受信するとともに、移動車両１１に対して配信された広告情報ｂを送信する無線基地局１３と、この無線基地局１３からの位置情報ａを受けると所定の広告情報ｂを、通信網１４を介して移動車両１１に配信するセンタ装置１５とから構成されている。
【００３２】
移動車両１１は、その車体側面部などに液晶ディスプレイやペーパーディスプレイなどの表示部１２を内蔵しており、センタ装置１５から広告表示のトリガとなるリンクポイントＡ，Ｂが設定されていて、各リンクポイントＡ，Ｂにおいて、通信網１４を介してセンタ装置１５に位置情報ａを通知するとともに、センタ装置１５から配信された広告情報ｂを表示部１２で表示するように構成されている。
【００３３】
センタ装置１５は、通信網１４を介して、移動車両１１から通知されたリンクポイントＡ，Ｂに基づいて道路リンク１６を特定し、この道路リンク１６に割り当てられた広告内容を移動車両１１に通知するように構成されている。
【００３４】
ここで「道路リンク」とは、２点のリンクポイントにより表現される区間であり、本発明では、リンクポイントを交差点に対して設定するため、道路リンクは、実際の交差点間の道路に対応づけられる。
【００３５】
このような構成において、まず、移動車両１１がリンクポイントＡに到達すると、その位置情報ａを無線基地局１３に送信する。この位置情報ａは、通信網１４を介してセンタ装置１５に送られる。このセンタ装置１５では、位置情報ａを受けると所定の広告情報ｂを、通信網１４を介して配信する。配信された広告情報ｂは無線基地局１３を介して、走行中の移動車両１１に送信される。移動車両１１において、配信された広告情報ｂは車両側面部に設けられた表示部１２ｂに表示される。
【００３６】
次に、走行中の移動車両１１が、リンクポイントＢに達すると、リンクポイントＢに位置している移動車両１１から、その位置情報ａが送信され、上述したように処理を繰り返して広告情報が更新表示される。
【００３７】
この場合、走行中の移動車両１１の表示部１２に表示される広告内容は、広告主の店舗周辺の道路状況や時間単位毎の顧客状況などを考慮して、道路単位及び時刻単位できめ細かく指定することができる。また、移動車両１１の表示部１２の表示領域を時分割することにより、複数の広告主の要請に対しても広告領域を共有にすることができる。
【００３８】
このように、走行中の移動車両１１を有効に活用して、動的に広告内容を更新し、移動車両の走行位置及び環境に応じて、広告内容を広告主の要求に応じて随時変更することが可能である。
【００３９】
図２は、本発明に係る動的広告システムに用いられるセンタ装置の機能ブロック図で、図中符号１００はセンタ装置（図１におけるセンタ装置１５に相当）、１０１は通信処理部、１０２は広告内容記録部、１０３は地図データベース管理部、１０４は設定情報管理部、１０５はユーザインタフェース部、１０６は演算処理部を示している。なお、動的広告システムに用いられる移動車両２００については、図３に基づいて後述する。
【００４０】
通信処理部１０１は、演算処理部１０６からの通信要求に応じて、移動車両に２００リンクポイントを通知する。また、移動車両２００から通知されるリンクポイントを受信した際に、演算処理部１０６にリンクポイントを通知する。さらに、道路リンクが演算処理部１０６で特定された際に、この演算処理部１０６の要求に応じて、移動車両２００に、道路リンクに割り当てられた広告内容を通知する。
【００４１】
広告内容記録部１０２は、各道路リンクに対して、ユーザインタフェース部１０５を用いてユーザが入力した広告内容を管理する。また、道路リンクの決定時に、演算処理部１０６からの要求に応じて、この演算処理部１０６に道路リンクに対応する広告内容を通知する。図４には、広告内容記録部１０２で管理される広告内容設定情報が示されている。この広告内容設定情報は、広告を行いたい道路リンクの番号、広告を行いたい時間である広告時刻、広告内容である広告ファイル（静止画）により構成されている。
【００４２】
地図データベース管理部１０３は、ベクトルデータ地図であり、道路リンク及びリンクポイントを管理する。図５には、道路リンク及びリンクポイントのイメージ図が示されている。リンクポイントは、各道路リンクの接合部（交差点）に設定されている。
【００４３】
設定情報管理部１０４は、各移動車両２００に対して設定を行うリンクポイント設定情報を管理する。図６には、リンクポイント設定情報の一例が示されている。
【００４４】
ユーザインタフェース部１０５は、ユーザに対して、広告を行いたい道路リンク、時刻、広告内容を設定する環境を提供する。道路リンクを指定する際には、地図データベース管理部１０３で管理されている地図情報をグラフィカルデータとしてユーザに提示し、ユーザは、地図上の道路リンクを指定して、時刻や広告内容を広告内容設定情報として設定する。ユーザにより設定された広告内容設定情報は、演算処理部１０６に通知され、広告内容管理部１０２に記憶される。
【００４５】
演算処理部１０６は、ユーザインタフェース部１０３より通知された広告内容設定情報を広告内容記録部１０２に通知する。また、広告内容設定情報１０２の道路リンクに対応するリンクポイント設定情報を地図データベース管理部１０３より取得し、設定情報管理部１０４に通知する。また、通信処理部１０１を介して設定情報を移動車両２００に通知する。
【００４６】
また、この移動車両２００より、リンクポイント情報（リンクポイントＮｏ．および緯度、経度、検出時刻）が通知された際に、地図データベース管理部１０３の情報とリンクポイント情報のマッチングにより道路リンクを確定する。そして、広告内容記録部１０２より道路リンクに対応する広告内容を取得し、通信処理部１０１を介して移動車両２００に広告内容を通知する。
【００４７】
図３は、本発明に係る動的広告システムに用いられる移動車両の機能ブロック図で、図中符号２００は移動車両、２０１は位置情報取得部、２０２は通信処理部、２０３は設定情報管理部、２０４は広告内容記録部、２０５は情報表示装置、２０６は演算処理部を示している。
【００４８】
位置情報取得部２０１は、ＧＰＳなどの位置検出装置であり、取得した位置情報を演算処理部２０６に定期的に伝送する機能を有する。
【００４９】
通信処理部２０２は、センタ装置１００から移動車両２００に対して、リンクポイント設定情報の通知があった際に、リンクポイント設定情報を受信し、演算処理部２０６に通知する。また、演算処理部２０６からの要求に応じて、リンクポイント情報（リンクポイントＮｏ．および緯度、経度、検出時刻）をセンタ装置１００に通知する。さらに、センタ装置１００から移動車両２００に対して、道路リンクの広告内容設定情報が通知された際に、演算処理部２０６に対して広告内容設定情報を通知する。
【００５０】
設定情報管理部２０３は、センタ装置１００から移動車両２００に対して、リンクポイント設定情報の通知があった際に、演算処理部２０６を経由して通知されてきたリンクポイント設定情報を管理する。
【００５１】
広告内容記録部２０４は、センタ装置１００から広告内容設定情報が通知された際に、演算処理部２０６を経由して通知されてきた広告内容設定情報を記録する。
【００５２】
情報表示装置部２０５は、車体側面部などに取り付けられた液晶ディスプレイやペーパーディスプレイであり、演算処理部２０６より、通知された広告内容記録部２０４に記録されている広告内容設定情報に基づいて広告内容を表示する。なお、同一道路リンクに広告時刻の重なる広告があった場合には、重なる時間帯のみ時分割多重して表示する。時分割多重の際に、１広告あたりの表示時間は、平等な時間になるように分ける。
【００５３】
演算処理部２０６は、通信処理部２０２からリンクポイント設定情報の通知があった際に、リンクポイント設定情報を設定情報管理部２０３に通知する。また、位置情報取得部２０１より取得可能な位置情報とリンクポイント設定情報により、移動車両とリンクポイントの位置関係を算出し、リンクポイントを検出した際に、通信処理部２０２を経由して、センタ装置１００にリンクポイントを通知する。図７には、リンクポイントを通知するタイミングが示されている。また、演算処理部２０６は、通信処理部２０２から広告内容設定情報を受信した際に、情報表示装置部２０５に通知し、広告内容記録部２０４に広告内容設定情報を記録する。
【００５４】
【発明の効果】
以上説明したように本発明によれば、移動車両からの位置情報を、通信網を介してセンタ装置に送信し、このセンタ装置からの広告情報を走行中の移動車両に配信する動的広告方法であって、移動車両のリンクポイントに到達した地点の位置情報を、通信網を介してセンタ装置に送信する送信ステップと、移動車両からの位置情報を、通信網を介してセンタ装置で受信する受信ステップと、位置情報に基づいて作成されたセンタ装置からの広告情報を、移動車両の車体側面部に設けられた表示部に表示する表示ステップとを備え、走行中の移動車両に表示される広告内容をリアルタイムで随時変更可能としたので、動的に広告内容を随時変更可能とすることができるとともに、道路リンク及び時刻により、広告主の要望に応じてきめ細かな広告タイミングの指定が可能である。また、車両側面などの広告領域を時分割多重して、広告内容を変更することにより、広告主が広告領域を共有可能とすることができる。さらに、広告内容を遠隔地のセンタ装置によりリアルタイムで更新することができる。
【図面の簡単な説明】
【図１】本発明に係る動的広告システムを説明するための全体構成図である。
【図２】本発明に係る動的広告システムに用いられるセンタ装置の機能ブロック図である。
【図３】本発明に係る動的広告システムに用いられる移動車両の機能ブロック図である。
【図４】広告内容記録部で管理される広告内容設定情報を示す図である。
【図５】道路リンク及びリンクポイントのイメージを示す図である。
【図６】リンクポイント設定情報の一例が示す図である。
【図７】リンクポイントを通知するタイミングを示す図である。
【符号の説明】
１１  移動車両
１２  表示部
１３  無線基地局
１４  通信網
１５  センタ装置
１６  道路リンク
１００  センタ装置
１０１  通信処理部
１０２  広告内容記録部
１０３  地図データベース管理部
１０４  設定情報管理部
１０５  ユーザインタフェース部
１０６  演算処理部
２００  移動車両
２０１  位置情報取得部
２０２  通信処理部
２０３  設定情報管理部
２０４  広告内容記録部
２０５  情報表示装置
２０６  演算処理部
【図１】
2004361661.tif 000003
【図２】
2004361661.tif 000004
【図３】
2004361661.tif 000005
【図４】
2004361661.tif 000006
【図５】
2004361661.tif 000007
【図６】
2004361661.tif 000008
【図７】
2004361661.tif 000009